(57)【要約】【課題】  温度上昇に弱いＬＥＤを強制冷却することで、長寿命で高輝度な観賞用照明器具を提供する。【解決手段】  観賞用照明器具１は、ＬＥＤ８が半田付けされた複数の基板９がヒートシンンク１４に固定されており、ヒートシンク１４は冷却ファン１３によって強制冷却され、観賞用照明器具１内部の温度上昇を防ぐ。【選択図】図２
0003162698.tif 000002
【実用新案登録請求の範囲】
【請求項１】
観賞用照明であって、複数の冷却用吸気口と冷却用排気口を有する筐体内にＬＥＤ、ヒートシンク、冷却ファン、温度ヒューズ、ヒューズ、ポリスイッチ、電源スイッチ、防水用ガラス板を備え、ＡＣ電源を外部に備え、動作時の内部温度上昇を抑えることで輝度を高めて寿命を長くする、ことを特徴とする観賞用照明器具。
【請求項２】
前記観賞用照明器具は、電源制御タイマーを備えた請求項１に記載の観賞用照明器具。
【請求項３】
前記観賞用照明器具は、輝度制御回路を備えた請求項１に記載の観賞用照明器具。
【請求項４】
前記勧賞用照明器具は、ＤＣ電源端子に直列接続されたスイッチとヒューズと温度ヒューズと、上記温度ヒューズとグラウンド端子間に接続された冷却ファンと、上記温度ヒューズに直列接続されたポリスイッチと、上記ポリスイッチとグラウンド端子間にヒューズと抵抗と複数個のＬＥＤからなるＬＥＤ回路が複数個並列接続された構成であり、コンデンサを用いずにＬＥＤを駆動するため長寿命であることを特徴とする勧賞用照明器具。
【請求項５】
水槽と、当該水槽内を照らすように配置された前記請求項１ないし３に記載の観賞用照明を備えた、ことを特徴とする観賞魚用水槽。
【考案の詳細な説明】
【技術分野】
【０００１】  本考案は、観賞魚やサンゴ、水草等を飼育して観賞するための照明器具および水槽に関する。
【背景技術】
【０００２】  近年、屋内において観賞魚やサンゴ、水草等の水生生物を水槽内で飼育、観賞するために多様な構造の照明器具が提供されている。特に海水生物の造礁性イシサンゴ類やシャコ貝を飼育するために、強度の高い光を放射するメタルハライド照明器具が多用されている。
【考案の概要】
【考案が解決しようとする課題】
【０００３】  しかし、前記ランプは分光分布が紫外線から赤外線まで広範囲にわたるため、紫外線による観賞魚の体色の黒ずみや、赤外線による望ましくない水槽内部の水温上昇といった欠点がある。【０００４】  上記欠点を克服するために、実用新案登録第３０９４７４４号のようなＬＥＤ照明器具が考案されている。しかし、ヒートシンクや冷却ファンといった冷却器具を備えないため、ＬＥＤ基板の温度が上昇し、ＬＥＤの短寿命化、輝度の低下が生じる。さらに、基板の温度上昇を抑制するためには、基板上の単位面積あたりのＬＥＤ数とＬＥＤの電流が制限されてしまうため、ＬＥＤ照明器具の輝度をメタルハライド照明器具と同等に高めることができないという欠点がある。
【実用新案文献１】
実用新案登録第３０９４７４４号
【課題を解決するための手段】
【０００５】  請求項１に記載の考案は、複数の冷却用吸気口と冷却用排気口を有する筐体内にＬＥＤ、ヒートシンク、冷却ファン、温度ヒューズ、ヒューズ、ポリスイッチ、電源スイッチ、防水用ガラス板を備え、筐体と電源コードで接続された外部ＡＣ電源を備え、動作時の内部温度上昇を抑えることで輝度を高めて寿命を長くすることを特徴とする観賞用照明器具である。
【０００６】  請求項２に記載の考案は、上記構成において、電源制御タイマーを付加した観賞用照明器具である。
【０００７】  請求項３に記載の考案は、上記構成において、輝度制御回路を付加した観賞用照明器具である。
【０００８】  請求項４に記載の考案は、上記構成において、ＤＣ電源端子に直列接続された電源スイッチとヒューズと温度ヒューズと、上記温度ヒューズとグラウンド端子間に接続された冷却ファンと、上記温度ヒューズに直列接続されたポリスイッチと、上記ポリスイッチとグラウンド端子間には、ヒューズと抵抗と複数個のＬＥＤからなるＬＥＤ回路が複数個並列接続されている。コンデンサを用いずにＬＥＤを駆動するため、長寿命であることを特徴とする。
【０００９】  請求項５に記載の考案は、水槽内を照らすように配置された上記構成の観賞用照明を備えることを特徴とする観賞魚用水槽である。
【考案の効果】
【００１０】  上記のように構成された本考案の観賞用照明器具によれば、ＬＥＤが半田付けされた基板をヒートシンクに固定し、さらに冷却ファンによりヒートシンクを強制的に冷却するため、ＬＥＤの温度上昇を抑えることが可能で、ＬＥＤの高輝度化と長寿命化を実現できる。また、ＬＥＤを密集させても素子温度が著しく上昇することがないため、メタルハライド照明器具と同等またはそれ以上の輝度を持ちつつ消費電力の低い照明器具を提供できる。
【００１１】  また、電源制御タイマーをＡＣ電源または照明器具内に備えることで、任意の時間に自動的に照明器具をオン・オフできる。また、輝度制御回路をＡＣ電源または照明器具内に備えることで、手動で輝度を調整できる。
【００１２】  さらに、電源制御タイマーと輝度制御回路を組み合わせることで、自動的に時間とともに輝度を変化させることが可能な照明器具を提供できる。
【図面の簡単な説明】
【００１３】
【図１】本考案にかかる観賞用照明器具の一例を示す斜視図
【図２】図１の観賞用照明器具を示す側面（透視）図
【図３】図１の観賞用照明器具を示す底面（発光面）図
【図４】図１の観賞用照明器具を示す電源、電源制御タイマー、輝度制御回路、照明器具の接続図
【図５】回路図
【図６】図１の観賞用照明器具を備えた観賞魚用水槽
【考案を実施するための形態】
【００１４】  以下、図面を参照して本考案の好ましい実施形態について説明する。
図１は本考案にかかる観賞用照明器具を示す斜視図、図２は図１の観賞用照明器具を示す側面（透視）図、図３は図１の観賞用照明器具を示す底面（発光面）図、図４は図１の観賞用照明器具を示す電源、電源制御タイマー、輝度制御回路、照明器具の接続図、図５は図１の観賞用照明器具の回路図、図６は図１の観賞用照明器具を備えた観賞魚用水槽をそれぞれ示す。
【００１５】  図１に示すように、本考案にかかる観賞用照明器具１は、アルミ等の金属薄板からなる筐体２からなり、電源スイッチ３があり、複数の排気口４と排気口５が上面と側面にある。また、観賞用照明器具１を吊り下げるための吊り下げ具６を一つまたは複数個備える。
【００１６】  観賞用照明器具１の内部には、図２に示すように光学レンズ７がＬＥＤ８に接着されており、ＬＥＤ８は基板９に半田付けされている。また、複数の基板９はアルミ等のヒートシンンク１４に固定されており、ヒートシンク１４は冷却ファン１３によって強制冷却される。基板９と接続された駆動回路１２は、外部から供給された電力をＬＥＤ８に分配する。
【００１７】  ＬＥＤ８より放射された光は、ガラスまたはアクリル樹脂等の透過率が高い透明板１０を経て外部に放射する。ＬＥＤ８の波長は、生体を観賞するために美観を損なわず、かつサンゴや水草などの生育条件を満たす可視光線を放射するものであればよい。
【００１８】  ヒートシンク１４は観賞用照明器具１の筐体２に金具１１で固定されている。ヒートシンク１４と冷却ファン１３により、観賞用照明器具１内部の温度上昇を防ぐことで、ＬＥＤ８を大電流で駆動して輝度を高めることができる。また、ＬＥＤ８の長寿命化を実現する。透明板１０は、観賞用照明器具１内部への水滴の混入を防ぐ役割をはたす。なお、ＬＥＤ８は有機ＥＬであってもよい。
【００１９】  図３に示すように、観賞用照明器具１の底面には光を放射するための複数の孔１５がある。
【００２０】  観賞用照明器具１への電力供給は、図４に示すようにＤＣコード１６によって行われる。電源制御タイマー１８と輝度制御回路１９からなるコントローラ１７をＤＣコード１６の途中に挿入することで、観賞用照明器具１の輝度を時間ごとに調整することも可能である。ＤＣコード１６はＡＣアダプター２０に接続されており、ＡＣアダプター２０にはＡＣコード２１とコンセント２２により電力が供給される。
【００２１】  図５に示した回路図２３は、ＤＣ電源端子３０に電源スイッチ３、ヒューズ２４、温度ヒューズ２５、ポリスイッチ２６が直列接続され、温度ヒューズ２５とポリスイッチ２６間の端子とグラウンド端子３１間には冷却ファン１３が接続されている。また、複数のＬＥＤ８と一つの抵抗２７とヒューズ２４が直列接続されたＬＥＤ回路２８が、ポリスイッチ２６とグラウンド端子３１間に複数個並列接続されている。ヒューズ２４と温度ヒューズ２５は、それぞれ観賞用照明器具１を過電流と温度異常から保護し、ポリスイッチ２６は観賞用照明器具１の内部温度が上昇（低下）した場合に、ＬＥＤ回路２８の電流を減少（増加）させる役割をはたし、抵抗２７はＬＥＤ８の電流が増加（減少）した場合にＬＥＤ回路２８の電流を減少（増加）させる。ポリスイッチ２６と抵抗２７は、ＤＣ電源電圧および観賞用照明器具１の内部温度が変動しても、ＬＥＤ８に流れる電流を一定化するためのフィードバック回路を形成している。
【００２２】  この駆動回路１２によれば、一般的に多くの電気機器の故障原因となるコンデンサが不要なため、観賞用照明器具１の長寿命化を実現できる。
【００２３】  図６は、本考案にかかる観賞魚用水槽３２を示す。水槽３３は、ガラスまたはアクリル樹脂等ならなる透明部材で構成され、上方に開いた形状に形成されている。水槽３３の上部枠には照明台３４が置かれ、観賞用照明器具１が吊り下げ具６によって適当な高さに吊り下げられている。赤外線をほとんど放射しないＬＥＤ８を発光源に持つことで、水槽３３の内部温度の上昇を防ぐことが可能で、生体を飼育するための電力消費を削減できる。
【符号の説明】
【００２３】１    観賞用照明器具
２    筐体
３    電源スイッチ
４    吸気口
５    排気口
６    吊り下げ具
７    光学レンズ
８    ＬＥＤ
９    基板
１０  透明板
１１  金具
１２  駆動回路
１３  冷却ファン
１４  ヒートシンク
１５  孔
１６  ＤＣコード
１７  コントローラ
１８  電源制御タイマー
１９  輝度制御回路
２０  ＡＣアダプター
２１  ＡＣコード
２２  コンセント
２３  回路図
２４  ヒューズ
２５  温度ヒューズ
２６  ポリスイッチ
２７  抵抗
２８  ＬＥＤ回路
２９  ＤＣ電源
３０  ＤＣ電源端子
３１  グラウンド端子
３２  観賞魚用水槽
３３  水槽
３４  照明台
【図１】
0003162698.tif 000003
【図２】
0003162698.tif 000004
【図３】
0003162698.tif 000005
【図４】
0003162698.tif 000006
【図５】
0003162698.tif 000007
【図６】
0003162698.tif 000008
【手続補正書】
【提出日】平成22年6月23日(2010.6.23)
【手続補正１】
【補正対象書類名】実用新案登録請求の範囲
【補正対象項目名】請求項４
【補正方法】変更
【補正の内容】
【請求項４】
ＤＣ電源端子に直列接続されたスイッチとヒューズと温度ヒューズと、上記温度ヒューズとグラウンド端子間に接続された冷却ファンと、上記温度ヒューズに直列接続されたポリスイッチと、上記ポリスイッチとグラウンド端子間にヒューズと抵抗と複数個のＬＥＤからなるＬＥＤ回路が複数個並列接続された構成であり、コンデンサを用いずにＬＥＤを駆動するため長寿命である、ことを特徴とする請求項１ないし３に記載の観賞用照明器具。